(57)【特許請求の範囲】
【請求項１】
少なくとも３つの電気接続要素（１２１、１２２、１２３；１２１’、１２２’、１２３’）を収容する電気絶縁性の本体（１１０；１１０’）であって、前壁（１１１、１１１’）、側壁（１１２）及び後壁（１１３、１１２’）を具備する電気絶縁性の本体（１１０；１１０’）と、
温度センサ（２００）と、
を具備する電気付属品（１００；１００’）であって、
前記温度センサ（２００）は、前記本体（１１０；１１０’）とは別体の熱伝導性且つ電気絶縁性の支持要素（１５０；２５０；３５０）に受容されており、
前記支持要素は、前記電気接続要素（１２１、１２２、１２３、１２１’、１２２’、１２３’）の間で延び且つ前記本体（１１０）の前壁（１１１、１１１’）、側壁（１１２）及び後壁（１１３、１１２’）の外面（１１１Ａ；１１１’Ａ）から後退した状態で前記本体（１１０、１１０’）の内部に閉じ込められており、
前記支持要素（１５０； ２５０）は、２つの対向する端部を有する少なくとも１つの第１の枝部（１５０； ２６０）を具備し、前記端部の各々が前記電気接続要素（１２１、１２２、１２３）のそれぞれの１つに対する取り付けのための取付手段を備えるとともに、前記支持要素（１５０； ２５０）は、中央部において、前記温度センサ（２００）を受容するのに適した穴（１５６；２５６）を具備し、
前記温度センサ（２００）を収容する前記支持要素（１５０；２５０）は、３つの前記電気接続要素（１２１、１２２、１２３）と接触する状態で設置されており、
前記支持要素（２５０）は、２つの対向する端部を備え且つ２つの第１の電気接続要素（１２１、１２２）に対する取り付けのための取付手段を含む第１の枝部（２６０）と、前記第１の枝部（２６０）と前記第３の電気接続要素（１２３）との間で延びる第２の枝部（２７０）とによるＴ字形状を呈する
ことを特徴とする電気付属品。
【請求項２】
前記支持要素（１５０；２５０）は、前記電気接続要素（１２１、１２２、１２３）の内の少なくとも１つに対する取り付けのための取付手段を具備することを特徴とする、請求項１に記載の電気付属品（１００）。
【請求項３】
各取付手段は、前記対応する電気接続要素（１２１、１２２、１２３）をはさみ付けることを特徴とする、請求項２に記載の電気付属品（１００）。
【請求項４】
各取付手段は、互いに向い合う２つの内面（１５３、１５４；２５３、２５４）を有するハウジング（１５２；２５２）を具備しており、
前記内面の内の第１の内面（１５３；２５３）は、前記電気接続要素（１２１；１２２；１２３）の対応する面に適合しており、
少なくとも１つの湾曲部（１５５；２５５）を具備する第２の内面（１５４；２５４）は、前記電気接続要素（１２１、１２２、１２３）を前記第１の内面（１５３；２５３）に押し付けるのに適していることを特徴とする、請求項３に記載の電気付属品（１００）。
【請求項５】
前記取付手段は、前記対応する電気接続要素にクリッピングすることによる取付手段であることを特徴とする、請求項２に記載の電気付属品。
【請求項６】
前記支持要素（１５０、２５０）は、回線に接続された前記電気接続要素（１２１）、及び中性線に接続される前記電気接続要素（１２２）に対する取り付けのための取付手段を具備することを特徴とする、請求項１に記載の電気付属品（１００）。
【請求項７】
前記温度センサは、サーミスタ（２００）であることを特徴とする、請求項１に記載の電気付属品（１００；１００’）。
【請求項８】
前記支持要素（１５０；２５０；３５０）は、セラミック粒子を含むポリマー材料により製作されることを特徴とする、請求項１に記載の電気付属品（１００；１００’）。
【請求項９】
前記支持要素（１５０；２５０；３５０）を作るために使用される材料は、１０Ｗ／ｍ・Ｋ以上の熱伝導率を有することを特徴とする、請求項１に記載の電気付属品（１００、１００’）。
【請求項１０】
該電気付属品は、前記本体（１１０）の前外面（１１１Ａ）から突出する２つの電気接続ピン（１３１，１３２）を具備する電気プラグ（１００）であり、各電気接続ピンは、前記本体（１１０）の内部において、前記電気接続要素（１２１、１２２、１２３）のそれぞれ１つに電気的に接続されることを特徴とする、請求項１に記載の電気付属品（１００）。
【請求項１１】
少なくとも２つの電気接続要素（１２１’、１２２’、１２３’）を収容する電気絶縁性の本体（１１０’）であって、前壁（１１１’）、側壁及び後壁（１１２’）を具備する電気絶縁性の本体（１１０’）と、
温度センサ（２００）と、
を具備する電気付属品（１００’）であって、
前記温度センサ（２００）は、前記本体（１１０’）とは別体の熱伝導性且つ電気絶縁性の支持要素（３５０）に受容されており、
前記支持要素は、前記電気接続要素（１２１’、１２２’、１２３’）の間で延び且つ前記本体（１１０）の前壁（１１１’）、側壁及び後壁（１１２’）の外面（１１１’Ａ）から後退した状態で前記本体（１１０、１１０’）の内部に閉じ込められており、
前記支持要素は、２つの対向する端部を有する少なくとも１つの第１の枝部を具備し、前記端部の各々が前記電気接続要素のそれぞれの１つに対する取り付けのための取付手段を備えるとともに、前記支持要素は、中央部において、前記温度センサ（２００）を受容するのに適した穴を具備するとともに、
前記支持要素（３５０）は、各温度センサ（２００）が電気的に接続されるプリント回路（４００）の支持カードをスナップ締結するためのスナップ締結手段を具備することを特徴とする電気付属品（１００’）。
【請求項１２】
該電気付属品は、前記本体（１１０’）の前外面（１１１’Ａ）から突出する２つの電気接続ピン（１３１’、１３２’）を具備する電気プラグ（１００’）であり、
各電気接続ピンは、導電体（ １１４’Ａ、１１４’Ｂ）の導電部（１１５’Ａ、１１５’Ｂ）を受容するために前記電気接続要素（１２１’、１２２’）の１つを形成するステムにより前記本体の内部において延びており、
前記支持要素（３５０）は、それがピン支持部を構成するように、該支持要素を通過する前記ピン（１３１’、１３２’）を有することを特徴とする、請求項１１に記載の電気付属品（１００’）。
【請求項１３】
前記支持要素（３５０）は、前記ピン（１３１’、１３２’）が圧入される２つの穴が開けられた実質的に板の形態であり、
前記板は、前記本体（１１０’）の前記前壁（１１１’）の後内面（１１１’Ｂ）に隣接する前面（３５０Ａ）と、前記ピン（１３１’、１３２’）の前記ステム（１２１’、１２２’）が出現する対向する後面（３５０Ｂ）と、を有することを特徴とする、請求項１２に記載の電気付属品（１００’）。
【請求項１４】
前記支持要素（３５０）の前記後面（３５０Ｂ）は、温度センサ（２００）を受容するための少なくとも１つの受容ハウジングを画定する少なくとも１つの突出リブ（３５１、３５２、３５３）を具備することを特徴とする、請求項１３に記載の電気付属品（１００’）。
【発明の詳細な説明】
【技術分野】
【０００１】
本発明は、温度センサと共に、少なくとも２つの電気接続要素を収容する電気絶縁性の本体を具備する電気付属品に関する。
【０００２】
本発明は、電気装置のための接続プラグと電気自動車のバッテリーを再充電するための接続プラグとを提供することにおいて、特に有利な用途を見い出す。
【背景技術】
【０００３】
冒頭で記載したような付属品は、特に、文献米国特許出願公開第2００９/０2５１８３２号明細書により公知であり、その付属品は、２つの電気接続要素の各々が前記本体の前面から突出するそれぞれの接続ピンに接続される電気接続プラグを構成する。
【０００４】
電気プラグの過熱を監視するために、その文献に記載された電気付属品は、電気プラグの電気接続要素のそれぞれの１つに、各々が接着接合された２つのサーミスタを具備する。
【０００５】
そのデバイスは、２つのサーミスタを使用する必要があるという欠点を示す。更に、サーミスタは、不正確であり且つその結果非再現性である様態で電気接続要素上に配置される。
【先行技術文献】
【特許文献】
【０００６】
【特許文献１】米国特許出願公開第２００９/０２５１８３２号明細書
【発明の概要】
【発明が解決しようとする課題】
【０００７】
従来技術の上述の欠点を改善するために、本発明は、単一の温度センサを用いた電気付属品を提案しており、前記温度センサは、電気付属品の本体において正確且つ再現可能な様態で配置されており、更にそれは、電気接続要素の内の少なくとも１つの過熱が効果的に検出されることを可能にする。
【課題を解決するための手段】
【０００８】
この目的のために、本発明は、冒頭で記載される電気付属品を提案しており、そこでは、温度センサは、本体とは別体の熱伝導性且つ電気絶縁性の支持要素に収容されており、支持要素は、前記電気接続要素間で延び且つ前記本体の外面から後退した状態で本体内に装着されている。
【０００９】
従って、温度センサを支持するための支持要素は、２つの電気接続要素により放散される熱を伝導する熱橋を形成する。支持要素が温度センサに熱を伝導するので、従って、電気付属品の内部の温度を監視すること、及び２つの電気接続要素のいずれかの過熱を検出することを可能にする単一の温度センサを使用することが可能である。
【００１０】
支持要素が電気付属品の本体内に封入される結果として、熱交換は、支持要素と電気付属品の周囲の任意の別の部分との間に限定される。具体的には、温度センサを収容する支持要素は、電気付属品の外側の周囲に接触する任意の部分又は表面を含まない。従って支持要素内に配置される温度センサにより測定された温度は、電気接続要素の温度をより正確に表示する、というのも、それが付属品の本体の外側の電気付属品の周囲の温度の影響を受けないからである。
【００１１】
また、支持要素が温度センサを収容することの結果として、支持要素に対して、及び結果として、全体として電気付属品に対して、温度センサを正確に位置決めすることが可能である。その様な位置決めもまた、容易に再現可能とすることができる。
【００１２】
本発明の電気付属品は、以下のように、非限定的で且つ有利な別の特性を有する。
・支持要素は、電気接続要素の少なくとも１つに対する取り付けのための取付手段を具備する。
・各取付手段は、対応する電気接続要素をはさみ付ける。
・各取付手段は、互いに向い合う２つの内面を有するハウジングを具備しており、その内の第１の内面は、電気接続要素の対応する面に適合しており、また少なくとも１つの湾曲部を具備する第２の内面は、電気接続要素を第１の内面に押し付けるのに適している。
・取付手段は、対応する電気接続要素にクリッピングすることによる取付手段である。
・支持要素は、２つの対向する端部を有する少なくとも１つの第１の枝部を具備しており、前記端部の各々は、電気接続要素のそれぞれの１つに対する取り付けのための取付手段を備える。
・中央部において、支持要素は、温度センサを受容するのに適した穴を具備する。
・本体は、３つの電気接続要素を収容しており、更に温度センサを収容する支持要素は、３つの電気接続要素に接触するように設置される。
・支持要素は、２つの対向する端部を備え且つ２つの第１の電気接続要素に対する取り付けのための取付手段を具備する第１の枝部と、前記第１の枝部と第３の電気接続要素との間で延びる第２の枝部とによるＴ字形状を呈する。
・支持要素は、回線に接続される電気接続要素と中性線に接続される電気接続要素との間において取り付けられる。
・電気センサはサーミスタである。
・支持要素は、セラミック粒子を含むポリマー材料により製作される。
・支持要素を製作するために使用される材料は、平方メートル−ケルビン当たり１０ワット（Ｗ／ｍ2・Ｋ）以上の熱伝導率を有する。
・電気付属品は、本体の前外面から突出する２つの電気接続ピンを具備する電気プラグであり、電気接続ピンの各々は、本体内において、電気接続要素のそれぞれ１つに電気的に接続される。
・電気付属品は、本体の前外面から突出する２つの電気接続ピンを具備する電気プラグであり、電気接続ピンの各々は、導電体の導電部を受容するために電気接続要素のそれぞれ１つを形成するステムにより本体内で延びており、また支持要素は、それがピン支持部を構成するように、その支持要素を通過するピンを有する。
・支持要素は、概ね、ピンが圧入される２つの穴が開けられた板の形態であり、前記板は、本体の前壁の後内面に隣接する前面と、ピンのステムが出現する対向する後面とを有する。
・支持要素の後面は、温度センサを受容するための少なくとも１つの受容ハウジングを画定する少なくとも一つの突出リブを具備する。
・支持要素は、各温度センサが電気的に接続されるプリント回路の支持カードをスナップ締結するためのスナップ締結手段を具備する。
【００１３】
添付図面を参照して与えられる非限定的な実施例の以下の説明は、本発明が何から構成されるか及び実施するためにどのように低減され得るかを理解することを可能にする。
【図面の簡単な説明】
【００１４】
【図１】電気接続プラグ型である、本発明の電気付属品の第１の実施形態の概略的且つ部分的背面斜視図である。
【図２】図１の電気接続プラグの概略的且つ部分的背面斜視図であり、図１に対して１８０度回転されている。
【図３】図１の電気接続プラグの支持要素の概略的正面斜視図である。
【図４】図１の電気接続プラグの支持要素の概略的背面斜視図である。
【図５】図１の電気接続プラグの支持要素の概略的側面図である。
【図６】図１の電気接続プラグの支持要素の概略的背面図である。
【図７】図１の電気接続プラグの支持要素の概略的正面図である。
【図８】図１の接続プラグの正面の分解斜視図である。
【図９】図１の接続プラグの背面の分解斜視図である。
【図１０】本発明の電気接続プラグ型の電気付属品の第２の実施形態の概略的且つ部分的背面斜視図である。
【図１１】図１０の電気接続プラグの概略的且つ部分的な背面斜視図であり、図１０に対して１８０度回転されている。
【図１２】図１０の電気接続プラグの概略的部分断面図である。
【図１３】図１０の電気接続プラグの支持要素の概略的背面斜視図である。
【図１４】図１０の電気接続プラグの支持要素の概略的背面図である。
【図１５】図１０の電気接続プラグの支持要素の概略的正面図である。
【図１６】図１０の電気接続プラグの支持要素の概略的側面図である。
【図１７】図１０の電気接続プラグの分解斜視図である。
【図１８】本発明の電気付属品の別の実施形態の概略的斜視図である。
【図１９】図１８における平面Ａ−Ａにおける断面図である。
【図２０】その外側絶縁ケーシングが削除された状態の図１８の電気付属品の概略的且つ部分的斜視図である。
【図２１】図２０の背面図である。
【発明を実施するための形態】
【００１５】
序言として、様々な実施形態の同一又は類似の要素は、可能な限り同じ参照符号を使用して参照されており、また、それらがいちいち記載されないことが認識されるべきである。
【００１６】
図１〜図１７は、本発明の電気付属品１００の２つの可能な実施形態を示す。
【００１７】
２つの実施形態は、以下に記載の温度センサの支持要素の特定の形状によってのみ相違する。
【００１８】
これらの実施形態において、問題の電気付属品は、電気装置（図示せず）を接続するための電気プラグ１００であり、そのプラグは、電気装置に電気的に動力を供給するように、相補的なコンセント（図示せず）に差し込まれるのに適している。具体的には、問題の電気装置は、電池を具備する電気自動車であってよく、電池は、電池を再充電する目的で、コンセントに電気プラグを接続するための電源ケーブル１１４を介して電気プラグ１００に接続されている。
【００１９】
従来のやり方では、電気プラグ１００は、これらの実施形態において、３つの電気接続要素１２１、１２２、１２３を収容する電気絶縁性の本体１１０（図８、９及び１７）を具備する。
【００２０】
絶縁性本体１１０は、電気プラグ１００の長手方向の軸線Ｘの方向に沿って細長い形状を有する。
【００２１】
それは、例えば、プラスチック材料を成形することにより、電気絶縁材料により製作される。
【００２２】
それは、前壁１１１と側壁１１２とを具備するケーシングを形成する。それは、後方において後部１１３により閉じられ。前記後部１１３から電源ケーブル１１４が出現する。
【００２３】
電源ケーブル１１４は、電気プラグ１００を対応する電気装置に電気的に接続することを可能にする。
【００２４】
これらの実施形態において、側壁１１２は、スリーブの形態である。前壁１１１は、前方においてスリーブを閉じる。一例として、前壁は、該前壁１１１を通過してスリーブのねじ付き穴にねじ込まれる締結ネジ１７０（図８及び図１７）により、スリーブに固定される。
【００２５】
図８及び図１７から分かるように、スリーブの内部において、電源ケーブル１１４は、絶縁性の外側シースを有さず、またシース内で送られる導電ワイヤ１１４Ａ、１１４Ｂ及び１１４Ｃは、それらの各々をそれぞれの接続要素１２１、１２２、１２３の端部の一方に電気的に接続するために、互いに分離されてよい。実際には、導電ワイヤ１１４Ａ、１１４Ｂ、１１４Ｃは、接続要素１２１、１２２、１２３の端部に溶接されるか又は圧着される。
【００２６】
前記本体１１０は、２つの金属製電気接続ピン１３１、１３２も部分的に収容しており、前記２つの金属製電気接続ピン１３１、１３２は、本体１１０の長手方向の軸線Ｘに平行な方向に沿って、本体１１０の前壁１１１の前外面１１１Ａから出現する（図１、２、８、９、１０、１１、１２、及び１７）。
【００２７】
ピン１３１、１３２の各々は、電気プラグ１００を電気的に接続するための対応するコンセントの相補的な電気接続端子に挿入されるのに適している。
【００２８】
本体１１０の前記前壁１１１はハウジングも具備しており、前記ハウジングは、開口を介して前壁１１１の前外面１１１Ａに通じている。
【００２９】
ハウジングは端子１３０を収容しており、前記端子１３０は、電気プラグ１００をアースに接続するように、開口を介して挿入されるコンセントの、もし有れば、接地ピンを受容するのに適している（特に、図８及び図１２を参照）。
【００３０】
一例として、これは、フランスの標準のコンセントに関して真実であり、それらコンセントの各々は、その前面において、電気プラグを受容するための受容縦穴と、そこから突出する接地接続ピンとを具備しており、前記縦穴の底部は、その中に通じるコンセントの端子への接近通路を提供する開口を有する。
【００３１】
図に示された電気プラグ１００の例はまた、ドイツの規格に準拠するコンセントと共に使用するのにも適しており、そこでは、やはり受容縦穴が、電気プラグを受容するために設けられており、前記縦穴の底部は、その中に通じるコンセントの端子への接近通路を与える開口を有しており、接地接続リラの正反対に対向する端部がそこから突出する。
【００３２】
このために、電気プラグ１００の前壁１１１のハウジング内に収容された端子１３０は、電気プラグ１００の後部に向かって前壁１１１から延びる少なくとも１つの側板１３０Ａを具備する（特に、図８参照）。
【００３３】
この側板１３０Ａは、電気プラグ１００の本体１１０の側壁１１２において長手方向に形成されたスロット１１５に面して配置されるのに適している。
【００３４】
このようにして、電気端子１３０の側板１３０Ａは、電源プラグ１００の本体１１０の外側から接近可能であり、その結果、電気プラグ１００が対応するコンセントに挿入されている間に、ドイツの標準コンセントの接地接続リラの端部の１つがかくして側板１３０Ａに接触可能である。
【００３５】
これらの実施形態において、端子１３０は、直径方向に対向する２つの側板１３０Ａを有利に含んでいる。
【００３６】
電気プラグの前外面１１１Ａにおいて全てが接近可能な２つのピン１３１、１３２及び電気プラグ１００の端子１３０の各々は後部を具備しており、前記後部は、本体１１０内に収容され且つ前壁１１１の後面から本体の中に突出する（図１、２、１０及び１１）。
【００３７】
２つのピン１３１、１３２及び端子１３０の各々の後部は従って、本体１１０に収容される電気接続要素１２１、１２２、１２３の内の１つの他方の端部に電気的に接続され、前記端部とは反対側が導電ワイヤ１１４Ａ、１１４Ｂ、１１４Ｃのそれぞれの１つに接続される。このために、電気接続要素は、対応するピンの後部に圧着もしくは溶接されるか、又は、それはピンと一体に製作されてよい。
【００３８】
これらの実施形態において、電気接続要素１２１、１２２、１２３は従って、電気プラグ１００の前外面１１１Ａにおいて接近可能なピン１３１、１３２と、端子１３０とが、電源ケーブル１１４の導電ワイヤ１１４Ａ、１１４Ｂ、１１４Ｃに電気的に接続されることを容易にする中間要素を構成する。
【００３９】
これらの実施形態において、電気接続要素１２１、１２２、１２３の各々は、Ｌ字状に曲げられた金属の刃の形態である。
【００４０】
より詳しくは、電気接続要素１２１、１２２、１２３の各々は、本体１１０の長手方向の軸線Ｘに平行に延びる主要部１２７、１２８、１２９と、主要部の前端部、即ち本体１１０の前壁１１１により近いその端部におけるタブ１２４、１２５、１２６とを具備しており、そのタブ１２４、１２５、１２６は、主要部に対してほぼ垂直に延びる。タブ１２４、１２５、１２６は、対応するピン１３１、１３２又は端子１３０の後部がピン又は端子との電気的接続を確立するように通過する開口１２４Ａ、１２５Ａ、１２６Ａを具備する（図１及び図１１参照）。
【００４１】
各電気接続要素１２１、１２２、１２３の主要部１２７、１２８、１２９は、タブ１２４、１２５、１２６に隣接する基部１２７Ｂ、１２８Ｂ、１２９Ｂと、基部の幅よりも狭い幅を有する端部１２７Ａ、１２８Ａ、１２９Ａとを具備する。
【００４２】
電気接続要素１２１、１２２、１２３の主要部１２７、１２８、１２９及びタブ１２４、１２５、１２６は、それぞれ互いに平行に延びる（図１）。
【００４３】
電気プラグのピン１３１、１３２に接続される２つの電気接続要素１２１、１２２の主要部１２７、１２８は、単一の第１の平面に配置される。電気プラグ１００の接地端子１３０に接続される電気接続要素１２３の主要部１２９は、第１の平面に平行且つそれから偏倚する第２の平面に設置される。
【００４４】
電気プラグ１００は、温度センサ２００を更に具備する。
【００４５】
これらの実施形態において、温度センサは、より具体的にはサーミスタである。しかしながら、当業者に公知の任意の温度センサが想定可能であろう。
【００４６】
温度センサ２００は、前記本体１１０とは別体の熱伝導性且つ電気絶縁性の支持要素１５０；２５０に受容されており、前記支持要素は、前記電気接続要素１２１、１２２、１２３の間で延びて本体１１０の外面から後退した状態で前記本体１１０の内部に取り付けられている。
【００４７】
換言すれば、支持要素１５０；２５０は、本体１１０とは異なる部分を構成しており、また、本体１１０を構成するケーシング内に閉じ込められている。
【００４８】
これらの実施形態において、本体１１０の外側に接触する部分は存在しない。
【００４９】
特に、これらの実施形態において、更に図１、２、８、９、１２、１３及び１９に示されるように、支持要素１５０；２５０は、前壁１１１の内面から、本体１１０の側壁１１２及び後壁１１３から後退して配置されている。
【００５０】
より正確には、支持要素１５０；２５０は、電気接続要素１２１、１２２、１２３の周りで且つそれら電気接続要素の間において非常に小さい体積を占める。
【００５１】
図１〜図９に示される本発明の電気プラグ１００の第１の実施形態において、支持要素１５０は、電気プラグ１００のピン１３１、１３２に接続される２つの電気接続要素１２１，１２２の間で延びる。
【００５２】
それは従って、主軸線Ｙ（図１、２及び８）に沿って細長い板の形状を呈して、主軸線に沿って２つの対向する端部１５１を有する。
【００５３】
支持要素１５０は、その主軸線Ｙが本体１１０の長手方向の軸線Ｘを横切って延びるような状態で、本体１１０に配置される。
【００５４】
本実施形態において、支持要素１５０の各端部１５１（図３を参照）は、電気接続要素１２１、１２２のそれぞれの１つに支持要素１５０を取り付けるための取付手段を具備する。
【００５５】
各取付手段は、対応する電気接続要素をはさみ付ける。
【００５６】
この目的のために、各取付手段は、接続要素１２１、１２２のそれぞれの１つを受容するハウジング１５２を具備する。この実施形態において、各ハウジング１５２は、支持要素１５０の自由端１５１に形成されたスロットに同様のものである。
【００５７】
スロットは、電気プラグ１００の本体１１０の長手方向の軸線Ｘに平行に延びる端壁と、互いに向い合う２つの内面１５３、１５４とを具備しており、前記２つの内面１５３、１５４は支持要素１５０の主軸線Ｙ及び電気プラグ１００の本体の長手方向の軸線Ｘに平行に延びている。
【００５８】
ハウジング１５２の第１の内面１５３は、電気接続要素１２１、１２２の対応する面に適合しており、ハウジング１５２の第２の内面１５４は、前記第１の内面１５３に対して電気接続要素１２１、１２２を押すのに適した少なくとも１つの湾曲部を具備する。
【００５９】
本実施形態において、ハウジング１５２の第１の内面１５３は、接続要素１２１，１２２に当接するように概ね平面である。
【００６０】
支持要素１５０を介して接続要素１２１、１２２により放散される熱の伝導を最大化するために、支持要素１５０により占められる空間を制限しながら、支持要素１５０の第１の内面１５３は、接続要素１２１、１２２の端部よりも広い幅を有する、対応する接続要素１２１、１２２の基部１２７Ｂ、１２８Ｂに当接する（図１参照）。
【００６１】
ハウジング１５２の第２の内面１５４の前記湾曲部を形成する丸い隆起部１５５は、各ハウジング１５２の第２の内面１５４から第１の内面１５３に向かって突出する（図２参照）。
【００６２】
隆起部１５５は、支持要素１５０の主軸線Ｙを横切る方向で延びる。結果的に、隆起部１５５は、本体１１０の長手方向の軸線Ｘに平行に、即ち、接続要素１２１、１２２の主要部１２７、１２８に平行に延びる。
【００６３】
隆起部１５５の厚さは、隆起部１５５におけるハウジング１５２の幅が接続要素１２１、１２２の基部１２７Ｂ、１２８Ｂの厚さよりも若干小さいようなものであるように設計される。
【００６４】
従って、接続要素１２１、１２２の基部１２７Ｂ、１２８Ｂがハウジング１５２に挿入された時に、ハウジング１５２の隆起部１５５が設けられる第２の内面１５４を備える支持要素１５０の部分は、電気接続要素の基部が通過することを可能にするように少し変形する。
【００６５】
このようにして、接続要素１２１、１２２の基部は、第１の内面１５３に対して隆起部１５５により押され、隆起部１５５と支持要素１５０のハウジング１５２の第１の内面１５３との間において固定される、換言すれば、はさみ付けられ（図１及び図２）。
【００６６】
ハウジング１５２の第１の内側面１５３と温度センサ２００の支持要素１５０との間の接触はこのようにして保証される。
【００６７】
ハウジング１５２の第１の内面１５３の寸法及び形状は更に、支持要素１５０の存在に関連する立体障害を制限しながら、第１の内面１５３と接続要素１２１、１２２との間の接触表面積を最大化するために決定される。
【００６８】
このようにして、接続要素１２１、１２２により放散される熱は、その容積が限られるにもかかわらず、支持要素により良好に伝導される。
【００６９】
この実施形態において、及び一例として、第１の内面１５３は、第２の内面の寸法よりも大きい寸法を有しており、それは、接続要素１２１，１２２のタブ１２４、１２５と主要部１２７、１２８との間の接合部における接触要素１２１、１２２の曲率に従うのに適した湾曲縁部を有する。
【００７０】
隆起部１５５は、ハウジング１５２の第２の内面１５４の一部のみで有利に延びている（図５）。
【００７１】
変形例において、隆起部は、ハウジングの第２の内面全体にわたって延びていてよい。それはまた、同じ役割を実行するための１つ以上の丸い膨らみにより置き換えられることが可能であろう。最後に、ハウジングの第２の内面は、その表面の少なくとも一部がハウジングの第１の内面に向かって湾曲した状態で、その表面全体にわたって実質的に湾曲させられることも可能である。
【００７２】
やはり変形例において、各取付手段は、対応する電気接続要素にクリッピングすることによる取付手段である。一例として、クリッピングは、以下に記載の手段に類似の手段を用いて達成され、例えば、接続要素の端部は、上記の隆起部に類似した隆起部により形成される、通過するための強化点を有する、上述したスロットに類似のスロットに挿入される。
【００７３】
最後に、中央部において、支持要素１５０は、前記温度センサ２００を受容するのに適した穴１５６を具備する。
【００７４】
この実施形態において、穴１５６は、支持要素１５０の中央、即ち、その２つの対向する端部１５１の間の中間に存在する（図１及び図２参照）。
【００７５】
それは、電気プラグ１００の本体１１０の長手方向の軸線Ｘに対して平行に、支持要素１５０の主軸線Ｙに対して垂直に延びる。
【００７６】
この実施形態において、穴は、温度センサ２００を穴１５６の中に挿入可能にするための隙間を無視すると、温度センサ２００の横方向の寸法と同様の直径を有する円筒穴である。
【００７７】
穴１５６は、電気プラグ１００の前方に面する支持要素１５０の側の端壁１５７により少なくとも部分的に閉じられる。
【００７８】
本実施形態において、端壁１５７は、穴１５６の半分を閉じる（図６参照）。
【００７９】
電気プラグ１００が組み立てられる間において、温度センサ２００は従って、それが端壁１５７に当接するまで、穴１５６に挿入されてよい。支持要素１５０内の温度センサ２００の位置は、かくして、正確に規定されて容易に再現される。
【００８０】
接続要素１２１、１２２に支持要素１５０を取り付けるための取付手段は、支持要素１５０が、正確且つ再現可能な位置に取り付けられることも保証するので、電気プラグ１００内の温度センサ２００の位置は、従って、正確に認識されて容易に再現可能である。
【００８１】
図１０〜図１７に示す、本発明の電気プラグの第２の実施形態において、温度センサ２００を収容する支持要素２５０は、電気プラグ１００の３つの電気接続要素１２１、１２２、１２３に接触する。
【００８２】
この目的のために、支持要素２５０は、第１の実施形態において説明した支持要素に類似の第１の枝部２６０と、該第１の枝部と第３の電気接続要素１２３との間で垂直に延びる第２の枝部２７０とによるＴ字形状を呈する（図１０〜図１６）。
【００８３】
より正確には、支持要素２５０の第１の枝部２６０は、２つの対向する端部２５１を備えており（図１３〜図１５）、前記端部２５１の各々は、電気プラグ１００の接続ピン１３１、１３２に接続される２つの電気接続要素１２１、１２２の内のそれぞれの１つに対する取り付けのための取付手段を具備する。
【００８４】
第１の実施形態と同様に、各取付手段は、対応する電気接続要素をはさみ付ける。
【００８５】
この目的のために、各取付手段は、接続要素１２１、１２２の各１つを受容するハウジング２５２を具備する。ハウジング２５２は、互いに向い合う２つの内面２５３、２５４を有する上述したハウジングと同一であり、それらの第１の内面２５３は、電気接続要素１２１、１２２の対応する面に適合しており、またハウジング１５２の第２の内面２５４は、電気接続要素１２１、１２２を前記第１の内面２５３に押し付けるのに適した少なくとも１つの湾曲部を具備する（図１３〜図１６）。
【００８６】
第１の実施形態と同様に、ハウジング１５２の第２の内面１５４の湾曲部分は、第２の内面２５４から第１の内面２５３に向かってハウジング２５２内において突出した丸い隆起部２５５の形態である（図１３〜図１６）。
【００８７】
支持要素２５０の第１の枝部２６０の取付手段に関して想定可能な実施形態の詳細、利点及び変形形態は、第１の実施形態を参照して説明した取付手段と同一である。
【００８８】
支持要素２５０の第２の枝部２７０は、電気プラグ１００の接続要素１２１と接続要素１２２との間に位置する第１の枝部２６０の中央部から第１の枝部２６０に垂直に延びる。
【００８９】
それは、電気プラグ１００の接地端子に接続され且つ電気プラグ１００の第３の接続要素１２３に接触するのに適した形状を呈する自由端２７１を具備する。本実施形態において、支持要素２５０の第２の枝部２７０の自由端２７１は、第３の接続要素１２３の主要部１２９の基部１２９Ｂの一部及び端部１２９Ａの一部と接触する。
【００９０】
本実施形態において、第２の枝部２７０の自由端２７１は平面である。
【００９１】
また、支持要素２５０の第２の枝部２７０の自由端２７１は、電気プラグ１００の第３の接続要素１２３に取り付けるためのどんな取付手段も具備しないが、しかし第２の枝部２７０の長さは、自由端２７１を形成する平面が、第３の接続要素１２３の主要部１２９の基部１２９Ｂに当接するように決定される（図１０及び図１１）。
【００９２】
変形形態において、支持要素の第２の枝部の自由端が、電気プラグの第３の接続要素に対する取り付けのための取付手段を具備するように構成可能であろう。
【００９３】
最後に、電気プラグ１００の第１の実施形態と同様に、支持要素２５０は、前記温度センサ２００を受容するのに適した穴２５６を具備する。
【００９４】
穴２５６は、支持要素２５０の第２の枝部２７０に配置される。それは、電気プラグ１００の本体１１０の長手方向の軸線Ｘに平行に延びる。
【００９５】
本実施形態において、穴は、温度センサが穴２５６の中に挿入されることを可能にするための隙間を無視すると、温度センサの横方向の寸法と同様の直径を有する円筒穴である。
【００９６】
本実施形態では、穴２５６は、電気プラグ１００の前方に面する支持要素２５０の側において開口を有しない穴である（図１７）。
【００９７】
上記のように、温度センサ２００は、かくして、電気プラグ１００の本体１１０において正確且つ再現可能な様態で配置され得る。
【００９８】
図１８〜図２１は、本発明の電気付属品の別の可能な実施形態を示す。
【００９９】
電気付属品は同様に、長手方向の軸線Ｘに沿って細長い電気絶縁本体１１０’を従来の様態で具備する電気プラグ１００’である。前記電気絶縁本体１１０’は、前壁１１１’と側壁と後部１１２’とを有するケーシングを形成しており、対応する電気装置に電気プラグ１００’を電気的に接続することを可能にする電源ケーブル１１４’から出る絶縁された導電体１１４’Ａ、１１４’Ｂ、１１４’Ｃが、後部１１２’から出現する。本体１１０’は、長手方向の軸線Ｘに平行な方向に沿って本体１１０の前壁１１１’の前外面１１１’Ａの外側に出現する２つの金属製電気接続ピン１３１’、１３２’を部分的に収容する。ピン１３１’、１３２’の各々は、それぞれのステム１２１’、１２２’により本体１１０’の内部において延びており、前記ステム１２１’、１２２’は、ケーブル１１４’から出て来る導電体１１４’Ａ、１１４’Ｂの導電性金属コア１１５’Ａ、１１５’Ｂを受容するための電気接続要素を形成する。本実施形態において、図１９においてより良好に見ることができるように、好適には、各ピン１３１’、１３２’は機械加工され、各導電体１１４’Ａ、１１４’Ｂは、対応するピンのステム１２１’、１２２’の内側に圧着される。当然に、変形形態において、各導電体の露出した導電性コアがピンのステムに溶接されるように構成可能であろう。
【０１００】
各ピン１３１’、１３２’は、電気プラグ１００’を電気的に接続するための対応するコンセントの相補的な電気接続端子に挿入されるのに適している。
【０１０１】
本体１１０’の前壁１１１’は、開口を介して前壁１１１’の前外面の１１１’Ａに通じるハウジングも具備する。図１８に示されるように、ハウジングは、アースに電気プラグ１００’を接続するように、開口を介して挿入されたコンセントの接地ピンを受容可能にするのに適する端子１３０’を収容する。一例として、これには、フランスの標準のコンセントに関して真実であり、それらの各々は、その前面において、電気プラグを受容するための受容縦穴と、そこから突出する接地接続ピンとを具備しており、前記縦穴の底部は、そこに通じるコンセントの端子への接近通路を提供する開口を有する。
【０１０２】
図１８〜図２１に示される電気プラグ１００’は、ドイツの規格に準拠するコンセントと共に使用するのにも適しており、そこでは、やはり受容縦穴が、電気プラグを受容するために設けられており、前記縦穴の底部は、そこに通じるコンセントの端子への接近通路を提供する開口を有しており、縦穴の側壁は、そこから突出する接地接続リラの直径方向に対向する端部を有する。
【０１０３】
この目的のために、電気プラグ１００’の前壁１１１’のハウジングに収容された端子１３０’は、電気プラグ１００’の後部に向かって前壁１１１’から延びる２つの導電性側板１３０’Ａ を具備する（図１８を参照）。側板１３０’Ａの１つは、ケーブル１１４’から来る電気接地導電体１１４’Ｃの露出された導電性コアが圧着される接続要素１２３’に接続される（図２０参照）。各側板１３０’Ａは、電気プラグ１００’の本体１１０’の側壁上において延びる。本実施形態において、本体１１０’は、角のある絶縁性外側ケーシング（図示せず）に二重成形されたものであり、前記ケーシングは、後部において、本体１１０’の後壁１１２’をカバーするとともに、本体１１０’から出現する導電体１１４’Ａ、１１４’Ｂ、１１４’Ｃの一部及びケーブル１１４’の絶縁被覆の一部を取り囲む。前部において、絶縁性外側ケーシングは、ピン１３１’、１３２’、端子１３０’及び側板１３０’Ａを電気プラグ１００’の外面において視認可能且つ接近可能にするように、ピン１３１’、１３２’、端子１３０’及び側板１３０’Ａの周りで、本体１１０’の前壁１１１’及び側壁をカバーしている。この様にして、電気端子１３０’の各側板１３０’Ａは、電気プラグ１００’の外側において接近可能であり、その結果、電気プラグ１００’が、対応するコンセントに挿入されている間に、ドイツ規格のコンセントの接地接続リラの各端部が各側板１３０’Ａに接触可能である。
【０１０４】
本実施形態において顕著であり、図１９〜図２１においてより良好に示されるように、温度センサ２００を収容し且つ本体１１０ ’の内側に取り付けられた熱伝導性且つ電気絶縁性の支持要素３５０は、本体１１０’の外面から後退しており、またそこを通過するピン１３１’、１３２’を有しており、従って支持要素はピン支持部を構成する。支持要素３５０は、ピン１３１’、１３２’のステム１２１’、１２２’の間で延びる。
【０１０５】
より具体的には、支持要素３５０は、ピン１３１’、１３２’が圧入される２つの穴が開けられた概ね板の形態である。これは、その外面の一部において、支持要素３５０におけるピンの把握を強化することを可能にする、ステムの直前のピンの基部にもうけられたぎざぎざ部又は刻み部を各ピン１３１’、１３２’が有利に含むことが理由である。板３５０は、本体１１０’の前壁１１１’の後内面１１１’Ｂに隣接する前面３５０Ａと、ピン１３１’、１３２’のステム１２１’、１２２’が出現する反対側の後面３５０Ｂとを有する。支持要素３５０を形成する板の後面３５０Ｂは、温度センサ２００を受容するための小なくとも１つの受容ハウジングを画定する少なくとも１つの突出リブ３５１を含む。本実施形態において、それは、３つの可能なセンサ２００のための３つのハウジングを画定する３つのリブ３５１、３５２、３５３を含む。
【０１０６】
検討中の実施形態がどのようなものであろうと、電気プラグは、温度センサ２００に接続される二次電気回路を更に含む。
【０１０７】
用語の「二次」電気回路は、電気プラグ１００；１００’のピン１３１、１３２；１３１’、１３２’を対応する電気装置に接続する主電気回路とは区別される電気プラグ１００；１００’の電気回路を意味するように使用される。
【０１０８】
温度センサ２００を残して導電ワイヤ２１０だけが示される。実際には、導電ワイヤ２１０（図１２）は、電源ケーブル１１４により運ばれる別の導電ワイヤに電気的に接続される。これは、本発明の電気プラグにより電力を供給される電気装置の電子制御ユニットに温度センサ２００を接続することを可能にする。
【０１０９】
図２０及び図２１に示す実施形態において、支持要素３５０は、各温度センサ２００が電気的に接続された、二次回路を形成するプリント回路４００の支持カードをスナップ締結するためのスナップ締結手段３５４を具備することが有利である。
【０１１０】
もし支持要素１５０；２５０；３５０と接触する接続要素１２１、１２２、１２３；１２１’、１２２’の内の少なくとも１つが過熱すると、接続要素により放散される熱は、支持要素１５０；２５０；３５０を介して温度センサ２００に伝達される。温度センサにより測定された温度が温度閾値を超える場合に、制御ユニットは、電気装置に電力を供給することを電気的に停止させるように、又はその電力消費を減少させるようにプログラムされており、従って電気装置に供給される電流を減少させる。
【０１１１】
従って、電気プラグ１００；１００’過熱のリスクは制限される。
【０１１２】
有利には、接続要素の内の１つの過熱を検出するのに必要な時間を減少させることにより温度測定をより正確にするために、支持要素１５０；２５０; ３５０は、セラミック粒子を含むポリマー材料により製作される。
【０１１３】
一例として、ポリマーは、ポリカプロラクタム（ＰＡ６）である。セラミック粒子は、ポリマー中に埋め込まれる。ポリマー中のセラミック粒子の量は、例えば、重量で１０％〜３０％の範囲に在る。
【０１１４】
好適には、支持要素１５０；２５０；３５０を製作するために使用される材料は、１０Ｗ／ｍ2・Ｋ以上の熱伝導率を有する。
【０１１５】
材料は、電気プラグ１００；１００’の本体１１０；１１０’を製作するために使用される材料とは異なる材料であることが好ましい。
【０１１６】
変形形態において、電気プラグは、２つだけの接続要素、例えば、回線接続要素及び中性線接続要素を収容する。支持要素は従って、第１の実施形態で説明した形状を有する。
【０１１７】
やはり変形形態において、電気付属品がコンセントであることが想定される。温度センサの支持要素はそのときコンセントの接地端子及び／又はコンセントに接続された電気接続要素に接触する。
【図１】
0006491197.tif 000002
【図２】
0006491197.tif 000003
【図３】
0006491197.tif 000004
【図４】
0006491197.tif 000005
【図５】
0006491197.tif 000006
【図６】
0006491197.tif 000007
【図７】
0006491197.tif 000008
【図８】
0006491197.tif 000009
【図９】
0006491197.tif 000010
【図１０】
0006491197.tif 000011
【図１１】
0006491197.tif 000012
【図１２】
0006491197.tif 000013
【図１３】
0006491197.tif 000014
【図１４】
0006491197.tif 000015
【図１５】
0006491197.tif 000016
【図１６】
0006491197.tif 000017
【図１７】
0006491197.tif 000018
【図１８】
0006491197.tif 000019
【図１９】
0006491197.tif 000020
【図２０】
0006491197.tif 000021
【図２１】
0006491197.tif 000022